(57)【要約】【課題】使い勝手がよく、トイレに追加する際の手間を抑えることができるリモコンを提供することを目的とする。【解決手段】側面に沿って設けられた入力部を有し便器に設置された衛生洗浄装置を操作する信号を送信するメインリモコンであって、前記メインリモコンの側方に配置されたサブリモコンが操作されたことが前記入力部に入力されると、前記便器を洗浄する信号を送信することを特徴とするメインリモコンが提供される。【選択図】図２
2018155033.tif 000002
【特許請求の範囲】
【請求項１】
側面に沿って設けられた入力部を有し便器に設置された衛生洗浄装置を操作する信号を送信するメインリモコンであって、
前記メインリモコンの側方に配置されたサブリモコンが操作されたことが前記入力部に入力されると、前記便器を洗浄する信号を送信することを特徴とするメインリモコン。
【請求項２】
前記入力部への入力は、前記サブリモコンの操作ボタンを押す操作力が前記入力部に伝達されることで行われることを特徴とする請求項１に記載のメインリモコン。
【請求項３】
前記入力部への入力は、前記サブリモコンが前記入力部に接触せずに行われることを特徴とする請求項１に記載のメインリモコン。
【請求項４】
前記入力部への入力には、磁気が用いられ、
前記メインリモコンの前面、後面、上面及び下面の少なくとも一部は、磁気シールドで覆われたことを特徴とする請求項３に記載のメインリモコン。
【請求項５】
前記メインリモコンは、前記サブリモコンとの位置関係を規定するハンガーに設置されることを特徴とする請求項１〜４のいずれか１つに記載のメインリモコン。
【請求項６】
側面に沿って設けられた入力部を有し便器に設置された衛生洗浄装置を操作する信号を送信するメインリモコンの側方に配置されるサブリモコンであって、
前記サブリモコンが操作されたことを前記入力部に入力して、前記メインリモコンに前記便器を洗浄する信号を送信させることを特徴とするサブリモコン。
【請求項７】
請求項１〜５のいずれか１つに記載のメインリモコンと、
請求項６に記載のサブリモコンと、
を備えたことを特徴とするリモコンシステム。
【発明の詳細な説明】
【技術分野】
【０００１】
本発明の態様は、一般的に、メインリモコン、サブリモコン及びリモコンシステムに関する。
【背景技術】
【０００２】
トイレルームの壁面等に設置されたトイレ装置用のリモコンには、便器に設けられた衛生洗浄装置を操作するためのボタンや、便器の洗浄を行うためのボタンなど、複数のボタンが設けられる。近年では、トイレ装置の機能の付加などに伴い、操作ボタンの種類や位置が多様化している（例えば特許文献１）。そこで、これらの操作ボタンを使用者にとって使いやすいように配置することが求められている。例えば、公共トイレにおける操作ボタン等の配置等に関するＪＩＳ規格（ＪＩＳ Ｓ ００２６）が制定されている。
【０００３】
これに伴い、衛生洗浄装置用のリモコンや、便器洗浄用のリモコンの開発が進められている。このようなリモコンには、例えば、操作ボタンの操作に応じて信号を処理するマイコンや、トイレ装置へ電波などの制御信号を送信するための送信部（基板）が設けられる。また、これらを動作させるための電源部（電池など）が設けられる。
【先行技術文献】
【特許文献】
【０００４】
【特許文献１】特開平１０−３１７４６２号公報
【発明の概要】
【発明が解決しようとする課題】
【０００５】
公共トイレにおいて使用されるリモコンには、視認性、使いやすさ、デザイン性が市場の要求として求められる。例えば、薄型のリモコンや、すっきりしたデザインのリモコンなど、シンプルでコンパクトなリモコンが求められる。
【０００６】
リモコンをシンプルにする場合、リモコンの内部に設けられるマイコン、送信部、電源部などの配置が困難となる場合がある。そこで、リモコンをシンプルなものとするため、有線接続によって、トイレ装置とリモコンとの通信やリモコンへの電源供給を行う方法が用いられている。しかしながら、有線接続を用いる場合には、リモコンを設置する際に、配線のために面倒な壁面工事が必要となる。
【０００７】
また、トイレ装置の仕様によっては、衛生洗浄装置用のリモコンのみが用いられる場合や、衛生洗浄装置用のリモコンと便器洗浄用のリモコンとがセットで用いられる場合がある。さらに、衛生洗浄装置用のリモコンのみを用いていた場合に、便器洗浄装置用のリモコンを後から追加する場合もある。そのため、リモコン同士を簡単に組み合わせたり、一方のリモコンを簡単に取り外したりできることが望まれる。また、その際に、面倒な壁面工事の手間が不要であることが望まれる。このように薄型・コンパクトなデザイン性を損なわず、面倒な配線工事を不要とし、必要に応じて後付け可能なリモコンが求められている。
【０００８】
本発明は、かかる課題の認識に基づいてなされたものであり、使い勝手がよく、トイレに追加する際の手間を抑えることができるリモコンを提供することを目的とする。
【課題を解決するための手段】
【０００９】
第１の発明は、側面に沿って設けられた入力部を有し便器に設置された衛生洗浄装置を操作する信号を送信するメインリモコンであって、前記メインリモコンの側方に配置されたサブリモコンが操作されたことが前記入力部に入力されると、前記便器を洗浄する信号を送信することを特徴とするメインリモコンである。
【００１０】
このメインリモコンによれば、便器を洗浄する信号は、サブリモコンではなくメインリモコンから送信される。このため、信号（例えば電波信号や赤外線等の光信号）の送信部や、これを駆動するための電池等の電源をサブリモコンに設ける必要がない。また、サブリモコンとトイレ装置との通信や電源供給のための壁面工事を行う必要がない。これにより、サブリモコンのデザインをコンパクトでシンプルなものとすることができ、必要に応じて後から簡単にサブリモコンを追加することができる。また、メインリモコンの側面に沿って入力部が設けられることにより、サブリモコンとメインリモコンとを横並びとすることができ、使用者の使い勝手を向上させることができる。したがって、使い勝手を向上させ、トイレに追加する際の手間を抑えることができる。
【００１１】
第２の発明は、第１の発明において、前記入力部への入力は、前記サブリモコンの操作ボタンを押す操作力が前記入力部に伝達されることで行われることを特徴とするメインリモコンである。
【００１２】
このメインリモコンによれば、機械的な機構を用いて力を伝達することにより、サブリモコンが操作されたことをより確実に入力部に入力することができる。
【００１３】
第３の発明は、第１の発明において、前記入力部への入力は、前記サブリモコンが前記入力部に接触せずに行われることを特徴とするメインリモコンである。
【００１４】
このメインリモコンによれば、サブリモコンの側面やメインリモコンの側面に孔や凹凸を設けなくてもよい。これにより、清掃性、防水性及びデザイン性を向上させることができる。
【００１５】
第４の発明は、第３の発明において、前記入力部への入力には、磁気が用いられ、前記メインリモコンの前面、後面、上面及び下面の少なくとも一部は、磁気シールドで覆われたことを特徴とするメインリモコンである。
【００１６】
このメインリモコンによれば、例えば使用者が磁石等をメインリモコンに近づけても、入力部は検出しない。これにより、便器を洗浄する信号が、メインリモコンから誤って送信されることを防ぐことができる。
【００１７】
第５の発明は、第１〜４のいずれか１つの発明において、前記メインリモコンは、前記サブリモコンとの位置関係を規定するハンガーに設置されることを特徴とするメインリモコンである。
【００１８】
このメインリモコンによれば、サブリモコンが操作されたことを、より確実に入力部に入力することができる。
【００１９】
第６の発明は、側面に沿って設けられた入力部を有し便器に設置された衛生洗浄装置を操作する信号を送信するメインリモコンの側方に配置されるサブリモコンであって、前記サブリモコンが操作されたことを前記入力部に入力して、前記メインリモコンに前記便器を洗浄する信号を送信させることを特徴とするサブリモコンである。
【００２０】
このサブリモコンによれば、便器を洗浄する信号は、サブリモコンではなくメインリモコンから送信される。このため、信号の送信部や、これを駆動するための電池等の電源をサブリモコンに設ける必要がない。また、サブリモコンとトイレ装置との通信や電源供給のための壁面工事を行う必要がない。これにより、サブリモコンのデザインをコンパクトでシンプルなものとすることができ、必要に応じて後から簡単にサブリモコンを追加することができる。また、メインリモコンの側面に沿って入力部が設けられることにより、サブリモコンとメインリモコンとを横並びとすることができ、使用者の使い勝手を向上させることができる。したがって、使い勝手を向上させ、トイレに追加する際の手間を抑えることができる。
【００２１】
第７の発明は、第１〜第５のいずれか１つの発明に係るメインリモコンと、第６の発明に係るサブリモコンと、を備えたことを特徴とするリモコンシステムである。
【００２２】
このリモコンシステムによれば、便器を洗浄する信号は、サブリモコンではなくメインリモコンから送信される。このため、信号の送信部や、これを駆動するための電池等の電源をサブリモコンに設ける必要がない。また、サブリモコンとトイレ装置との通信や電源供給のための壁面工事を行う必要がない。これにより、サブリモコンのデザインをコンパクトでシンプルなものとすることができ、必要に応じて後から簡単にサブリモコンを追加することができる。また、メインリモコンの側面に沿って入力部が設けられることにより、サブリモコンとメインリモコンとを横並びとすることができ、使用者の使い勝手を向上させることができる。したがって、使い勝手を向上させ、トイレに追加する際の手間を抑えることができる。
【発明の効果】
【００２３】
本発明の態様によれば、使い勝手がよく、トイレに追加する際の手間を抑えることができるリモコンが提供される。
【図面の簡単な説明】
【００２４】
【図１】実施形態に係るリモコンシステムが設けられたトイレ装置を表す斜視図である。
【図２】実施形態に係るリモコンシステムを例示する正面図である。
【図３】実施形態に係るリモコンシステム及びトイレ装置を例示するブロック図である。
【図４】図４（ａ）及び図４（ｂ）は、実施形態に係るメインリモコン及びサブリモコンを例示する平面図である。
【図５】図５（ａ）及び図５（ｂ）は、実施形態に係るメインリモコン及びサブリモコンを例示する平面図である。
【図６】図６（ａ）及び図６（ｂ）は、実施形態に係るメインリモコン及びサブリモコンを例示する平面図である。
【図７】図７（ａ）及び図７（ｂ）は、実施形態に係るメインリモコン及びサブリモコンを例示する平面図である。
【図８】実施形態に係るメインリモコン及びサブリモコンを例示する斜視図である。
【図９】図９（ａ）及び図９（ｂ）は、実施形態に係るメインリモコン及びサブリモコンを例示する平面図である。
【図１０】図１０（ａ）及び図１０（ｂ）は、実施形態に係るリモコンシステムを例示する平面図である。
【図１１】図１１（ａ）及び図１１（ｂ）は、実施形態に係るリモコンシステムを例示する平面図である。
【発明を実施するための形態】
【００２５】
以下、本発明の実施の形態について図面を参照しつつ説明する。なお、各図面中、同様の構成要素には同一の符号を付して詳細な説明は適宜省略する。  
図１は、実施形態に係るリモコンシステムが設けられたトイレ装置を表す斜視図である。  
実施形態に係るリモコンシステム１０は、トイレ装置１００の動作を操作するためのリモコンである。図１に表したように、リモコンシステム１０は、メインリモコン１１とサブリモコン１３とを有する。メインリモコン１１及びサブリモコン１３は、例えばトイレルームの壁面２００に設置される。
【００２６】
トイレ装置１００は、洋式腰掛便器（以下、単に「便器」と称する）１１０と、便器１１０の上に設けられた衛生洗浄装置１２０と、を有する。  
衛生洗浄装置１２０は、例えば、衛生洗浄機能と、音発生機能と、を有する。衛生洗浄機能は、便座１２４に座った使用者の「おしり」などをノズル１２８により洗浄する洗浄動作を行う機能である。音発生機能は、例えば水洗音などを擬似的に発する機能である。
【００２７】
この他、衛生洗浄装置１２０は、局部乾燥機能、便座暖房機能、ノズル洗浄機能などを有していてもよい。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。ノズル洗浄機能は、ノズル１２８の外側および内側に洗浄水を流すことで、ノズル１２８を洗浄する機能である。
【００２８】
衛生洗浄装置１２０は、メインリモコン１１から送信された無線信号に基づいて、例えば衛生洗浄機能及び音発生機能のいずれかの動作を実行する。また、衛生洗浄装置１２０の上述の機能の設定状態は、使用者によって変更可能である。例えば、衛生洗浄装置１２０は、衛生洗浄時に噴射される洗浄水の勢い、発せられる音の音量などの設定状態を変更することができる。
【００２９】
メインリモコン１１は、衛生洗浄装置１２０を遠隔操作するための操作ボタン１２を有する。メインリモコン１１は、使用者による操作ボタン１２の操作を検出し、操作された操作ボタン１２に基づいて、衛生洗浄装置１２０を操作する信号を衛生洗浄装置１２０に送信する。衛生洗浄装置１２０は、メインリモコン１１から送信された信号を受信し、その信号に応じた動作を実行する。このように、メインリモコン１１は、使用者の操作に応じて、所定の動作の実行を衛生洗浄装置１２０に指示する。なお、メインリモコン１１から送信される信号は、この例において無線信号であるが、実施形態においては有線接続によって信号が送信されてもよい。
【００３０】
サブリモコン１３は、操作ボタン１４を有する。操作ボタン１４は、トイレ装置１００の便器洗浄手段に便器洗浄（ボウルの内容物の排出及びボウル内の洗浄）を指示する便器洗浄ボタンである。後述するように、使用者が操作ボタン１４を押すと、メインリモコン１１が、便器を洗浄する信号をトイレ装置１００に送信する。
【００３１】
図２は、実施形態に係るリモコンシステムを例示する正面図である。  
図２に表したように、メインリモコン１１は、複数の操作ボタン１２と、複数の設定ボタン１５と、操作ボタン１２及び設定ボタン１５を支持する筐体１６と、を有する。  
この例では、メインリモコン１１は、横方向（水平方向）に延びる直方体状又はスティック状である。
【００３２】
複数の操作ボタン１２は、例えば、操作ボタン１２ａ〜１２ｄを含む。操作ボタン１２ａは、おしり洗浄の開始を指示するためのボタン（おしりボタン）である。操作ボタン１２ｂは、ビデ洗浄の開始を指示するためのボタン（ビデボタン）である。操作ボタン１２ｃは、音発生の開始を指示するためのボタン（音ボタン）である。操作ボタン１２ｄは、衛生洗浄機能や音発生機能の停止を指示するためのボタン（止ボタン）である。
【００３３】
操作ボタン１２は、例えば、押し操作（押圧操作）が可能な、いわゆる押しボタンである。操作ボタン１２は、定常位置と最下点位置とに移動可能であり、押し操作に応じて定常位置から最下点位置に移動する。また、操作ボタン１２は、図示しないバネなどにより、操作されていない状態において定常位置に保持される。操作ボタン１２は、押し操作によって最下点位置に移動した後、押し操作の解除によって定常位置に戻る。
【００３４】
設定ボタン１５は、衛生洗浄時に噴射される水の勢いの変更を指示するためのボタン、または、音量の変更を指示するためのボタンである。例えば、設定ボタン１５も、操作ボタン１２と同様に、押し操作が可能な押しボタンである。
【００３５】
サブリモコン１３は、前述した操作ボタン１４（便器洗浄ボタン）と、操作ボタン１４を支持する筐体１７と、を有する。サブリモコン１３は、メインリモコン１１の側方に配置される。例えば、サブリモコン１３は、メインリモコン１１と横方向（水平方向）に並べて設けられる。より具体的には、サブリモコン１３は、メインリモコン１１の筐体１６の側面１６ａに近接するように配置される。例えば、サブリモコン１３の筐体１７の側面１７ａは、メインリモコン１１の筐体１６の側面１６ａと対向する。
【００３６】
なお、サブリモコン１３は、メインリモコン１１の筐体１６の側面１６ｂに近接するように配置されてもよい。例えば、サブリモコン１３の筐体１７の側面１７ｂは、メインリモコン１１の筐体１６の側面１６ｂと対向する。
【００３７】
サブリモコン１３に設けられた操作ボタン１４も、例えば操作ボタン１２と同様に、押し操作が可能な押しボタンである。
【００３８】
図３は、実施形態に係るリモコンシステム及びトイレ装置を例示するブロック図である。  
図３に表したように、メインリモコン１１は、制御部１８と入力部２０とをさらに有する。サブリモコン１３は、出力部２２をさらに有する。トイレ装置１００は、便器洗浄手段１１５をさらに有する。
【００３９】
例えば、メインリモコン１１には、複数の操作ボタン１２のそれぞれに対応した複数の検出部（不図示）が設けられる。検出部は、操作ボタン１２の押し操作を検出する。検出部には、例えばホール素子が用いられる。検出部には、機械式のスイッチ（例えばタクトスイッチなど）を用いてもよい。
【００４０】
制御部１８は、メインリモコン１１の筐体１６内に設けられ、複数の検出部と電気的に接続されている。制御部１８は、検出部の検出結果に基づいて、押し下げ操作された操作ボタン１２を判別する。そして、制御部１８は、判別した操作ボタン１２に対応した無線信号を衛生洗浄装置１２０に送信することにより、衛生洗浄装置１２０を遠隔操作する。
【００４１】
例えば、制御部１８は、マイコン、高周波発生回路、送信部などを含む。マイコンは、押し操作された操作ボタンの判別や、判別した操作ボタンに基づいて衛生洗浄装置１２０を遠隔操作する信号を生成する。高周波発生回路は、マイコンの生成した信号を高周波信号に変換する。高周波信号の周波数は、例えば、２．４ＧＨｚである。送信部は、アンテナを含み、高周波発生回路の生成した高周波信号を無線信号に変換して衛生洗浄装置１２０に送信する。
【００４２】
サブリモコン１３の出力部２２は、筐体１７の内部において、側面１７ａに沿って設けられる（図２参照）。出力部２２は、側面１７ａに接していてもよいし、側面１７ａから離れていてもよい。出力部２２の一部が側面１７ａから露出していてもよい。出力部２２は、例えば、操作ボタン１４と機械的に係合可能である。なお、出力部２２の具体例については、後述する。
【００４３】
メインリモコン１１の入力部２０は、筐体１６の内部において、側面１６ａに沿って設けられる（図２参照）。入力部２０は、出力部２２と対向するように配置されている。入力部２０は、側面１６ａに接していてもよいし、側面１６ａから離れていてもよい。入力部２０の一部が側面１６ａから露出していてもよい。入力部２０は、制御部１８と電気的に接続されている。なお、入力部２０の具体例については、後述する。
【００４４】
使用者がサブリモコン１３の操作ボタン１４を押し操作すると、出力部２２は、サブリモコン１３（操作ボタン１４）が操作されたことを入力部２０に出力する。出力部２２の出力（入力部２０への入力）は、例えば、電気、磁気、光及び力の少なくともいずれかにより行われる。
【００４５】
メインリモコン１１の制御部１８は、出力部２２の出力（サブリモコン１３が操作されたこと）が入力部２０に入力されると、衛生洗浄装置１２０を介して、便器を洗浄する信号を便器洗浄手段１１５に送信する。なお、便器を洗浄する信号は、衛生洗浄装置１２０を介さずに便器洗浄手段１１５に送信されてもよい。
【００４６】
便器洗浄手段１１５は、例えば、便器洗浄バルブと、便器洗浄バルブを制御する制御回路と、を有する。この制御回路は、便器を洗浄する信号を受信すると、便器洗浄バルブを開き、便器のボウル内に洗浄水を供給する。これにより、便器洗浄が実施される。
【００４７】
以上説明したように、メインリモコン１１は、サブリモコン１３が操作されたことが入力部２０に入力されると、便器を洗浄する信号をトイレ装置１００に送信する。言い換えると、サブリモコン１３は、サブリモコン１３が操作されたことを入力部２０に入力して、メインリモコン１１に便器を洗浄する信号を送信させる。
【００４８】
すなわち、便器を洗浄する信号は、サブリモコン１３ではなくメインリモコン１１から送信される。このため、信号（例えば電波信号や赤外線等の光信号）の送信部や、これを駆動するための電池等の電源をサブリモコン１３に設ける必要がない。また、サブリモコン１３とトイレ装置１００との通信や電源供給のための壁面工事を行う必要がない。これにより、サブリモコン１３のデザインをコンパクトでシンプルなものとすることができ、必要に応じて後から簡単にサブリモコン１３を追加することができる。
【００４９】
また、メインリモコン１１の側面に沿って入力部２０が設けられることにより、サブリモコン１３とメインリモコン１１とを横並びとすることができ、使用者の使い勝手を向上させることができる。例えば、ＪＩＳ規格に適合することができる。  
したがって、実施形態に係るリモコンシステム１０（メインリモコン１１及びサブリモコン１３）によれば、使い勝手がよく、トイレに追加する際の手間を抑えることができる。
【００５０】
以下、実施形態に係るリモコンシステム１０（メインリモコン１１及びサブリモコン１３）の具体例について説明する。
【００５１】
図４（ａ）及び図４（ｂ）は、実施形態に係るメインリモコン及びサブリモコンを例示する平面図である。  
図４（ａ）及び図４（ｂ）は、メインリモコン１１及びサブリモコン１３を上方から見た様子を表す。また、図４（ａ）は、操作ボタン１４が定常位置にある状態、すなわち、操作ボタン１４が押し操作されていない状態を表す。図４（ｂ）は、操作ボタン１４が最下点位置にある状態、すなわち、操作ボタン１４が押し操作されている状態を表す。
【００５２】
この例では、出力部２２には部材２２ａが用いられ、入力部２０にはタクトスイッチ２０ａが用いられる。部材２２ａは、使用者が操作ボタン１４を押す操作力をタクトスイッチ２０ａに伝達することができる。具体的には、図４（ａ）に示す矢印Ａ１のように、使用者が、サブリモコン１３の前面から後方へ向かって操作ボタン１４を押すと、操作ボタン１４の後側は、部材２２ａに当接する。
【００５３】
さらに操作ボタン１４が押されると、部材２２ａは、図４（ｂ）に示す矢印Ａ２のように、操作ボタン１４に押されて横方向へ移動する。すると、部材２２ａの端部Ｅ１が筐体１７の側面から突き出て、タクトスイッチ２０ａに当接し、タクトスイッチ２０ａを押すことができる。タクトスイッチ２０ａが押されると、制御部１８は、その信号を受信し、便器を洗浄する信号をトイレ装置１００へ送信する。
【００５４】
なお、部材２２ａは、図示しないバネなどにより、図４（ａ）に示す定常位置に保持されている。すなわち、操作ボタン１４の押し操作が解除されると、部材２２ａは、図４（ａ）に示した位置に戻る。
【００５５】
このように、入力部２０（タクトスイッチ２０ａ）への入力は、操作ボタン１４を押す操作力が機械的に入力部２０に伝達されることで行われる。前述したとおり、入力部２０への入力には、磁気や光を用いることも可能であるが、このような機械的な機構を用いて力を伝達することにより、サブリモコン１３が操作されたことをより確実に入力部２０に入力することができる。
【００５６】
図５（ａ）及び図５（ｂ）は、実施形態に係るメインリモコン及びサブリモコンを例示する平面図である。  
図５（ａ）及び図５（ｂ）は、メインリモコン１１及びサブリモコン１３を上方から見た様子を表す。また、図５（ａ）は操作ボタン１４が定常位置にある状態を表し、図５（ｂ）は操作ボタン１４が最下点位置にある状態を表す。
【００５７】
この例では、出力部２２には磁石２２ｂが用いられ、入力部２０にはホール素子２０ｂが用いられる。出力部２２（磁石）は、入力部２０（ホール素子）に接触せずに、サブリモコン１３が操作されたことを入力部２０に入力することができる。具体的には、図５（ａ）に示す矢印Ａ３のように、使用者が、サブリモコン１３の前面から後方へ向かって操作ボタン１４を押すと、操作ボタン１４の後側は、磁石２２ｂに当接する。
【００５８】
さらに操作ボタン１４が押されると、磁石２２ｂは、図５（ｂ）に示す矢印Ａ４のように、操作ボタン１４に押されて横方向へ移動する。磁石２２ｂは、筐体の側面及びホール素子２０ｂに近づく。ホール素子２０ｂは、磁石２２ｂが近づいたこと、すなわち、操作ボタン１４が押されたことを検出する。制御部１８は、ホール素子２０ｂから検出結果の信号を受信し、便器を洗浄する信号をトイレ装置１００へ送信する。
【００５９】
操作ボタン１４及び磁石２２ｂは、図示しないバネなどにより、図５（ａ）に示す定常位置に保持されている。すなわち、操作ボタン１４の押し操作が解除されると、操作ボタン１４及び磁石２２ｂは、図５（ａ）に示した位置に戻る。
【００６０】
このように、入力部２０（ホール素子２０ｂ）への入力は、サブリモコン１３の出力部２２（磁石２２ｂ）が入力部２０に接触せずに行われる。この場合には、サブリモコン１３の側面１７ａやメインリモコン１１の側面１６ａに孔や凹凸を設けなくてもよい。これにより、清掃性、防水性及びデザイン性を向上させることができる。
【００６１】
図６（ａ）及び図６（ｂ）は、実施形態に係るメインリモコン及びサブリモコンを例示する平面図である。  
図６（ａ）及び図６（ｂ）は、メインリモコン１１及びサブリモコン１３を上方から見た様子を表す。また、図６（ａ）は操作ボタン１４が定常位置にある状態を表し、図６（ｂ）は操作ボタン１４が最下点位置にある状態を表す。
【００６２】
この例では、出力部２２には磁石２２ｃが用いられ、入力部２０には磁石２０ｃ及びタクトスイッチ２０ｄが用いられる。磁石２０ｃは、タクトスイッチ２０ｄと磁石２２ｃとの間に設けられる。出力部２２（磁石２２ｃ）は、入力部２０（磁石２０ｃ及びタクトスイッチ２０ｄ）に接触せずに、サブリモコン１３が操作されたことを入力部２０に入力することができる。具体的には、図６（ａ）に示す矢印Ａ５のように、使用者がサブリモコン１３の前面から後方へ向かって操作ボタン１４を押すと、操作ボタン１４の後側は、磁石２２ｃに当接する。
【００６３】
さらに操作ボタン１４が押されると、磁石２２ｃは、図６（ｂ）に示す矢印Ａ６のように、操作ボタン１４に押されて横方向へ移動する。磁石２２ｃは、筐体の側面及び磁石２０ｃに近づく。磁石２０ｃは、磁石２２ｃと反発する向きに配置されている。これにより、磁石２２ｃが近づくと、図６（ｂ）に示す矢印Ａ７のように、磁石２０ｃは、反発力によってタクトスイッチ２０ｄ側へ移動し、タクトスイッチ２０ｄを押すことができる。タクトスイッチ２０ｄが押されると、制御部１８は、その信号を受信し、便器を洗浄する信号をトイレ装置１００へ送信する。
【００６４】
なお、操作ボタン１４、磁石２０ｃ及び磁石２２ｃは、それぞれ、図示しないバネなどにより、図６（ａ）に示す定常位置に保持されている。すなわち、操作ボタン１４の押し操作が解除されると、操作ボタン１４、磁石２０ｃ及び磁石２２ｃは、図６（ａ）に示した位置に戻る。
【００６５】
図７（ａ）及び図７（ｂ）は、実施形態に係るメインリモコン及びサブリモコンを例示する平面図である。  
図７（ａ）及び図７（ｂ）は、メインリモコン１１及びサブリモコン１３を上方から見た様子を表す。また、図７（ａ）は操作ボタン１４が定常位置にある状態を表し、図７（ｂ）は操作ボタン１４が最下点位置にある状態を表す。
【００６６】
この例では、出力部２２には磁石２２ｄが用いられ、入力部２０にはバネ２０ｅ、金属部材２０ｆ及びタクトスイッチ２０ｇが用いられる。バネ２０ｅは、磁石２２ｄとタクトスイッチ２０ｇとの間に設けられる。金属部材２０ｆは、バネ２０ｅとタクトスイッチ２０ｇとの間に設けられる。バネ２０ｅの一端は側面１６ａに接続され、バネ２０ｅの他端は金属部材２０ｆに接続される。バネ２０ｅは、金属部材２０ｆをタクトスイッチ２０ｇへ向かう方向へ付勢している。図７（ａ）に示す状態において、金属部材２０ｆは、バネ２０ｅからの付勢力によってタクトスイッチ２０ｇに当接しており、タクトスイッチ２０ｇを押している。
【００６７】
出力部２２（磁石２２ｄ）は、入力部２０（バネ２０ｅ、金属部材２０ｆ及びタクトスイッチ２０ｇ）に接触せずに、サブリモコン１３が操作されたことを入力部２０に入力することができる。具体的には、図７（ａ）に示す矢印Ａ８のように、使用者がサブリモコン１３の前面から後方へ向かって操作ボタン１４を押すと、操作ボタン１４の後側は、磁石２２ｄに当接する。
【００６８】
さらに操作ボタン１４が押されると、磁石２２ｄは、図７（ｂ）に示す矢印Ａ９のように、操作ボタン１４に押されて横方向へ移動する。磁石２２ｄは、筐体の側面及び金属部材２０ｆに近づく。磁石２２ｄが近づくと、図７（ｂ）に示す矢印Ａ１０のように、金属部材２０ｆは、バネ２０ｅからの付勢力に抗して、磁石２２ｄに引き寄せられる。これにより、金属部材２０ｆは、タクトスイッチ２０ｇから離れる。制御部１８は、タクトスイッチ２０ｇがオフになったことが検出されると、便器を洗浄する信号をトイレ装置１００へ送信する。
【００６９】
なお、操作ボタン１４及び磁石２２ｄは、図示しないバネなどにより、図６（ａ）に示す定常位置に保持されている。操作ボタン１４の押し操作が解除されると、操作ボタン１４及び磁石２２ｄ及び金属部材２０ｆは、図７（ａ）に示した位置に戻る。
【００７０】
図８は、実施形態に係るメインリモコン及びサブリモコンを例示する斜視図である。  
図８に示すリモコンシステム１０（メインリモコン１１及びサブリモコン１３）においては、入力部２０への入力には、磁気が用いられる。例えば、入力部２０及び出力部２２の少なくともいずれかに磁石が用いられる。例えば、図８に示すリモコンシステム１０は、図５〜図７に関して説明したリモコンシステムのいずれかである。
【００７１】
図８に示す例では、メインリモコン１１に磁気シールド３０が設けられる。磁気シールド３０は、メインリモコン１１の前面１６ｃ、後面１６ｄ、上面１６ｅ及び下面１６ｆの少なくとも一部を覆う。この例では、後面１６ｄ、上面１６ｅ及び下面１６ｆが磁気シールド３０に覆われている。磁気シールド３０は、メインリモコン１１の側面１６ａ及び側面１６ｂの少なくともいずれかを覆わない。磁気シールド３０には、鉄や、鉄を含む合金など透磁率の高い部材を用いることができる。例えば、ステンレス鋼やパーマロイを用いることができる。
【００７２】
なお、磁気シールド３０は、筐体１６の外側及び内側のいずれに設けられてもよい。磁気シールド３０は、筐体１６に取り付けられるカバーであってもよいし、筐体１６と一体に形成されていてもよい。また、サブリモコン１３にも同様に、側面以外の少なくとも一部を覆う磁気シールドを設けてもよい。
【００７３】
このような磁気シールドにより、例えば使用者が磁石等をメインリモコン１１及びサブリモコン１３に近づけても、入力部２０は検出しない。これにより、便器を洗浄する信号が、メインリモコン１１から誤って送信されることを防ぐことができる。
【００７４】
図４〜図８に関して説明したサブリモコン１３においては、信号を制御する回路や信号を送信する送信部、および、電源を設けなくてよい。これにより、サブリモコン１３をシンプルでコンパクトなものとすることができる。また、後からサブリモコン１３を追加する場合には、壁面工事などを行わずに、メインリモコン１１の側方にサブリモコン１３を配置すればよい。
【００７５】
図９（ａ）及び図９（ｂ）は、実施形態に係るメインリモコン及びサブリモコンを例示する平面図である。  
図９（ａ）及び図９（ｂ）は、メインリモコン１１及びサブリモコン１３を上方から見た様子を表す。また、図９（ａ）は操作ボタン１４が定常位置にある状態を表し、図９（ｂ）は操作ボタン１４が最下点位置にある状態を表す。
【００７６】
この例では、出力部２２には圧電素子２２ｅ及び発光素子２２ｆ（ＬＥＤなど）が用いられ、入力部２０には受光素子２０ｈ（フォトダイオードなど）が用いられる。圧電素子２２ｅは、発光素子２２ｆと電気的に接続されている。  
出力部２２（圧電素子２２ｅ及び発光素子２２ｆ）は、入力部２０（受光素子２０ｈ）に接触せずに、サブリモコン１３が操作されたことを入力部２０に入力することができる。具体的には、図９（ａ）に示す矢印Ａ１１のように、使用者がサブリモコン１３の前面から後方へ向かって操作ボタン１４を押すと、操作ボタン１４の後側は、圧電素子２２ｅに当接する。
【００７７】
さらに操作ボタン１４が押されると、圧電素子２２ｅに圧力が印加され、圧電素子２２ｅにおいて電圧が発生する。この電圧によって、発光素子２２ｆは、受光素子２０ｈに向けて光Ｌを放出する。受光素子２０ｈが光Ｌを受けると、制御部１８は、その信号を受信し、便器を洗浄する信号をトイレ装置１００へ送信する。
【００７８】
このように、入力部２０への入力は、光によって行われてもよい。図９に関して説明したサブリモコン１３においても、信号の送信部や、電源を設けなくてよい。また、圧電素子は、送信部や電源に比べて小型にしやすい。これにより、サブリモコン１３をシンプルでコンパクトなものとすることができる。また、後からサブリモコン１３を追加する場合には、壁面工事などを行わずに、メインリモコン１１の側方にサブリモコン１３を配置すればよい。
【００７９】
図１０（ａ）及び図１０（ｂ）は、実施形態に係るリモコンシステムを例示する平面図である。  
図１０（ａ）は、トイレルームを上方から見た様子を示す。図１０（ａ）に示すように、メインリモコン１１及びサブリモコン１３は、壁面２００に設置されたハンガー４０に設置されている。
【００８０】
図１０（ｂ）は、図１０（ａ）に示したハンガー４０を正面からみた平面図である。また、メインリモコン１１及びサブリモコン１３を破線により表示している。ハンガー４０は、係合部４１、４２を有する。係合部４１、４２は、例えばフックである。
【００８１】
メインリモコン１１は、係合部４１に支持される。例えば、係合部４１は、上下に並ぶ第１部分４１ａ及び第２部分４１ｂを有する。図１０（ｂ）に示す状態では、メインリモコン１１は、第１部分４１ａに引っ掛けられている。  
サブリモコン１３は、係合部４２に支持される。例えば、係合部４２は、上下に並ぶ第３部分４２ａ及び第４部分４２ｂを有する。図１０（ｂ）に示す状態では、サブリモコン１３は、第３部分４２ａに引っ掛けられている。  
ハンガー４０は、メインリモコン１１とサブリモコン１３との位置関係を規定する。例えば、メインリモコン１１とサブリモコン１３との間の距離Ｄ１を規定する。これにより、出力部２２から、サブリモコン１３が操作されたことをより確実に入力部２０に入力することができる。
【００８２】
図１０（ａ）に示すように、便座１２４に座った使用者から見て、サブリモコン１３（便器洗浄ボタン）は、メインリモコン１１よりも前方に配置される。これにより、使い勝手を向上させることができる。例えば、ＪＩＳ規格に適合することができる。
【００８３】
また、この例において、メインリモコン１１及びサブリモコン１３は、便座１２４に座った使用者から見て右側の壁面２００に設置されている。ただし、メインリモコン１１及びサブリモコン１３は、左側の壁面に設置されてもよい。
【００８４】
図１１（ａ）及び図１１（ｂ）は、実施形態に係るリモコンシステムを例示する平面図である。  
図１１（ａ）は、トイレルームを上方から見た様子を示す。この例では、メインリモコン１１及びサブリモコン１３は、便座１２４に座った使用者から見て左側の壁面２００に設置されている。
【００８５】
図１１（ｂ）は、図１１（ａ）に示したハンガーを正面から見た平面図である。また、メインリモコン１１及びサブリモコン１３を破線により表示している。図１１（ｂ）に示したハンガー４０の向きは、図１０（ｂ）に示したハンガー４０を１８０°回転させた状態である。例えば、図１０（ｂ）に示す状態では、メインリモコン１１は、第２部分４１ｂに引っ掛けられており、サブリモコン１３は第４部分４２ｂに引っ掛けられている。すなわち、ハンガー４０は、上下を回転させることで、いずれの向きにおいても、メインリモコン１１及びサブリモコン１３を支持することができる。
【００８６】
また、例えば、図２等に関して説明したメインリモコン１１は、両側面に入力部２０を有する。すなわち、メインリモコン１１は、側面１６ａとは反対側の側面１６ｂに沿って設けられた入力部２０をさらに有する。同様に、サブリモコン１３は、両側面に出力部２２を有する。すなわち、サブリモコン１３は、側面１７ａとは反対側の側面１７ｂに沿って設けられた出力部２２をさらに有する。
【００８７】
このような構成により、メインリモコン１１及びサブリモコン１３が左側の壁面に設けられた場合であっても、便座１２４に座った使用者から見て、サブリモコン１３を、メインリモコン１１よりも前方に配置することができる。この場合には、側面１７ｂ側の出力部２２から、サブリモコン１３が操作されたことが、側面１６ｂ側の入力部２０へ入力される。
【００８８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、メインリモコン１１、サブリモコン１３及びリモコンシステム１０が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８９】
１０ リモコンシステム、  １１ メインリモコン、  １２ 操作ボタン、  １３ サブリモコン、  １４ 操作ボタン、  １５ 設定ボタン、  １６ 筐体、  １６ａ、１６ｂ 側面、  １６ｃ 前面、  １６ｄ 後面、  １６ｅ 上面、  １６ｆ 下面、  １７ 筐体、  １７ａ、１７ｂ 側面、  １８ 制御部、  ２０ 入力部、  ２０ａ タクトスイッチ、  ２０ｂ ホール素子、  ２０ｃ 磁石、  ２０ｄ タクトスイッチ、  ２０ｅ バネ、  ２０ｆ 金属部材、  ２０ｇ タクトスイッチ、  ２０ｈ 受光素子、  ２２ 出力部、  ２２ａ 部材、  ２２ｂ 磁石、  ２２ｃ 磁石、  ２２ｄ 磁石、  ２２ｅ 圧電素子、  ２２ｆ 発光素子、  ３０ 磁気シールド、  ４０ ハンガー、  ４１、４２ 係合部、  １００ トイレ装置、  １１０ 便器、  １１５ 便器洗浄手段、  １２０ 衛生洗浄装置、  １２４ 便座、  １２８ ノズル、  ２００ 壁面、  Ｄ１ 距離、  Ｅ１ 端部、  Ｌ 光
【図１】
2018155033.tif 000003
【図２】
2018155033.tif 000004
【図３】
2018155033.tif 000005
【図４】
2018155033.tif 000006
【図５】
2018155033.tif 000007
【図６】
2018155033.tif 000008
【図７】
2018155033.tif 000009
【図８】
2018155033.tif 000010
【図９】
2018155033.tif 000011
【図１０】
2018155033.tif 000012
【図１１】
2018155033.tif 000013